(57)【要約】【課題】静音性を高めた排泄物処理機用のブロワーを提供する。【解決手段】排泄物処理器に用いられるブロワー１の回転ファン４の形状を、ケース延長部３７内部まで羽根延長部４２ａが伸びる形状としたので、ケース延長部３７内まで羽根部を伸ばさない場合と比較して風量、吸引力を高めることができる。よって、所定の風量を得るための回転ファン４の回転数を低く抑えることができ、静音性を高めることができる。また、羽根部４２の上に上カバー４３を備えたことにより、羽根延長部４２ａからサイドケース３２側に向かって流れる空気の乱れを抑制することができ、静音性をより高めることができる。【選択図】図２
2008286077.tif 000002
【特許請求の範囲】
【請求項１】
駆動源によって駆動される回転ファンと、該回転ファンを囲み、前記回転ファンの軸の延長方向に設けられた吸入口と、前記回転ファンの外周部と対向する位置に設けられた吐出口とを有するケースと、を備え、前記回転ファンの回転によって前記吸入口から前記ケース内に空気を取り込んで前記吐出口から吐出するブロワーにおいて、
前記ケースは、回転ファンの軸の延長方向に伸びて先端部が前記吸入口となる略円筒形状のケース延長部を備え、
前記回転ファンは、該回転ファンの軸近傍を、回転軸の方向に高く伸ばして羽根延長部を設けた、ことを特徴とするブロワー。
【請求項２】
前記回転ファンは、
円盤形状の基板部と、
該基板部から立ち上がる複数枚の羽根部と、
前記基板部から立ち上がる羽根部の先端部に取り付けられた環状の上カバーと、を有し、
前記羽根延長部は、前記上カバーの穴を通って前記ケース延長部内まで伸びている、ことを特徴とする請求項１に記載のブロワー。
【発明の詳細な説明】
【技術分野】
【０００１】
本発明は、集塵機、特に病院等で使用される排泄物処理器用の静音ブロワーに関する。
【背景技術】
【０００２】
従来、集塵機等に用いられる空気の流れを生み出す装置として、例えば特開平１０−１６９５９５号公報に記載されたブロワーがある。
従来のブロワーを図５に示す。図５の（ａ）にブロワーの断面を示し、図５の（ｂ）にブロワーを吸入口側から見た外観を示し、さらに図５の（ｃ）に回転ファンの外観を示す。
ブロワー５０は、モータ５１と、モータ５１の回転軸５６に取り付けられた回転ファン５２と、回転ファン５２を囲みモータ５１が固定されるケース５３とを有している。
ケース５３は、モータ５１の回転軸５６の延長方向の部位に吸入口５４が設けられ、さらに回転ファン５２の外周部と対向する位置に吐出口５５が設けられている。
【０００３】
回転ファン５２は、モータ５１側に位置する円盤形状の基板部５２ａと、基板部５２ａから立ち上がる複数の羽根部５２ｂとより構成されている。
羽根部５２ｂのうち基板部５２ａの中心部近傍では、基板部５２ａからの羽根部５２ｂの立ち上げ高さが他の部位よりも低くなるように形成され、この形状により回転軸方向へ風を誘導するように形成されている。
この羽根部５２ｂの立ち上げ高さの低い部位と、ケース５３の吸入口５４とが対向している。
図５の（ｃ）に示すように、羽根部５２ｂは、回転軸５６の方向から見たときに基板部５２ａの中心部から外周部に向かって弧を描く形状に形成されている。
【０００４】
モータ５１を駆動させて回転ファン５２を矢印Ａ方向（図５の（ｃ））に回転させると、矢印Ｂ（図５の（ａ））に示すように吸入口５４から空気がケース５３内に取り込まれ、回転ファン５２の外周部に向かって空気が送られる。
回転ファン５２の外周部に送られた空気は、吐出口５５からブロワー５０の外部に吐出される。
【特許文献１】特開平１０−１６９５９５号公報
【発明の開示】
【発明が解決しようとする課題】
【０００５】
しかしながら従来の装置では、十分な量の空気を吐出するためには、回転ファン５２の回転数を上げなければならず、ブロワー５０の作動時の音が大きくなってしまう。さらに風の流れを回転軸方向に誘導するため風の流れの乱れが発生し、騒音が発生するばかりか、効率の悪いものとなっている。これを解決するためより高速回転にて風の流れを整えんとするため、より騒音が生じてしまうといった問題があった。
【課題を解決するための手段】
【０００６】
本発明はこのような問題点に鑑み、静音性を高めた集塵機等、特に排泄物処理機用のブロワーを提供することを目的とする。
そのため本発明は、駆動源によって駆動される回転ファンと、該回転ファンを囲み、回転ファンの軸の延長方向に設けられた吸入口と、回転ファンの外周部と対向する位置に設けられた吐出口とが形成されたケース、とを備えるブロワーであって、回転ファンの軸の延長方向に伸びて先端部が吸入口となる略円筒形状のケース延長部をケース外方に設け、さらに回転ファンの軸近傍部を、回転軸の方向に高く伸ばして羽根延長部を設けることにより、回転ファンの回転によって吸入口からケース内に空気を効率よく取り込んで吐出口から多くの空気を吐出できるようにした。
【０００７】
また回転ファンを、円盤形状の基板部と、該基板部から立ち上がる複数枚の羽根部と、
基板部から立ち上がる羽根部の先端部に取り付けられた環状の上カバーとより構成し、羽根延長部を、上カバーの穴を通ってケース延長部内まで伸ばすものとした。
【発明の効果】
【０００８】
本発明によれば、ケース延長部内に羽根延長部を伸ばしたことにより、空気の吸入量、風量を多くすることができるので、所定の風量を得るための回転ファンの回転数を低く抑えることができ、また、回転ファンの数を少なくできるので、より静音性を高めることができることになる。
また、羽根部の上に上カバーを備えたことにより、羽根延長部から回転ファンの外周部へ向かって流れる空気の乱れを抑制することができ、より静音性を高めることができる。
【発明を実施するための最良の形態】
【０００９】
次に本発明の実施の形態を実施例により説明する。
なお、本実施例において、ブロワーを排泄物処理器に適用した場合について説明する。
排泄物処理器は、病院等において使用されて、患者から排泄された排泄物を貯蔵容器に溜め込むものであり、ブロワーの吸引によって、排泄物をパイプを介して貯蔵容器に収容するものである。
次に、ブロワーの詳細について説明する。
図１に、ブロワーを吸入口側から見た外観を示し、図２に、図１におけるＡ−Ａ部断面を示す。さらに図３に、図２におけるＢ−Ｂ部断面を示し、図４に回転ファンの側面を示す。
ブロワー１は、特に図２に示すように、モータ２と、モータ２の回転軸２１に取り付けられた回転ファン４と、回転ファン４を囲むケース３とより構成される。
【００１０】
ケース３は、略平板形状の上側ケース３１および下側ケース３３と、上側ケース３１および下側ケース３３との間に挟まれて、上側ケース３１および下側ケース３３との間の外周部をカバーするサイドケース３２とより構成される。
サイドケース３２は、図３に示すようにサイドケース３２ａ、３２ｂの２つに別れた部材より構成され、回転ファン４の外周を囲んでいる。
【００１１】
サイドケース３２ａ、３２ｂは、回転軸２１の方向から見たときに互いが連結されることなく回転ファン４の周りを取り囲んでいる。
このサイドケース３２ａ、３２ｂの間が吐出口３６ａ、３６ｂとなり、吐出口３６ａ、３６ｂを介してケース３の外部と通じている。
吐出口３６ａ、３６ｂは、回転軸２１に対して対称な位置に設けられている。
【００１２】
上側ケース３１の中央部には、モータ２の反対側方向で回転軸の延長方向に伸びる略円筒形状のケース延長部３７が取り付けられている。
ケース延長部３７の内径は、上側ケース３１から立ち上がるに従って所定の径まで小さくなっている。
このケース延長部３７の先端開口部が、ケース３の内部と外部とをつなぐ吸入口３５となる。
【００１３】
回転ファン４は、ケース３内において、モータ２側に位置する円盤形状の基板部４１と、基板部４１から上側ケース３１に向けて立ち上がる複数枚の羽根部４２と、羽根部４２の上に取り付けられた上カバー４３とより構成される。
羽根部４２は、特に図３に示すように、回転軸２１の方向から見たときに所定の曲線を描く形状となっている。
この所定曲線は、具体的には、放物線を基準に圧力分布を考慮した曲線となっている。
【００１４】
また羽根部４２は、回転軸２１の近傍の羽根延長部４２ａが他よりも高く立ち上がってケース延長部３７内に伸びている。
図２に示すように、羽根部４２の上側ケース３１およびケース延長部３７側の縁はケース延長部３７の内周面の形状に沿っている。
【００１５】
羽根部４２の前記羽根延長部４２ａ以外の部分の上側ケース３１側の縁上には、環状の上カバー４３が取り付けられている。
上カバー４３の中央部の穴は吸入口３５よりも大きく、上カバー４３の中央部の穴内に羽根延長部４２ａが通っている。
【００１６】
回転ファン４とサイドケース３２との間には所定の隙間が設けられ、回転ファン４の回転時に発生した気流の通路となる。
上カバー４３と上側ケース３１の間、羽根延長部４２ａとケース延長部３７との間、回転ファン４と下側ケース３３およびケース延長部３７の間は、各部材同士が接触しない程度で、微小の隙間となるように、各部が組みつけられている。
【００１７】
次に、ブロワー１の作動について説明する。
排泄物処理器の作動の指示があると、ブロワー１のモータ２が作動し回転ファン４が回転する。
回転ファン４は、図３中の矢印Ｃ方向に回転する。
回転ファン４の回転によって、上部中央の吸入口３５から空気がケース３内に取り込まれる。ケース３内に取り込まれた空気は、回転ファン４の回転によって、羽根部４２と羽根部４２の間を通って回転ファン４とサイドケース３２との間に送られ、さらに吐出口３６ａ、３６ｂからブロワー１の外部へ送られる。
ブロワー１の吸引により排泄物は空気はパイプ内を通り、貯蔵容器に収容される。
【００１８】
本実施例は以上のように構成され、排泄物処理器に用いられるブロワー１の回転ファン４の形状を、ケース延長部３７内部まで羽根延長部４２ａが伸びる形状としたので、ケース延長部３７内まで羽根部を伸ばさない場合と比較して風量、吸引力を高めることができる。
よって、所定の風量を得るための回転ファン４の回転数が低く抑えられて静音性が高まり、特に夜間等に静音性が求められる排泄物処理器に好適なブロワーとなる。
【００１９】
また、羽根部４２の上に上カバー４３を備えたことにより、羽根延長部４２ａからサイドケース３２側に向かって流れる空気の乱れを抑制することができるので、静音性をより高めることができる。
【００２０】
さらに、風量、吸引力が増すため、羽根部４２の枚数を少なくすることができ、吸入口３５から取り込まれて羽根部４２と羽根部４２の間を通る空気の流れがよくなる。従って、空気の流れの乱れがなくなり、静音性をさらに高めることができる。また、羽根部４２の間隔が広いことにより、羽根部４２と羽根部４２の間にたまる埃などの掃除を容易に行うことができる。
【００２１】
回転ファン４の羽根延長部４２ａとケース延長部３７との隙間を少なくすることにより、吸入口３５からケース３内に入る空気を羽根部４２によって確実に吐出口３６ａ、３６ｂに送ることができ、風量や吸引力を高めることができる。また吸入口３５の近傍において、空気の流れの乱れを防止することができ、静音性を高めることができる。
なお本実施例において、静音性を高める構造を有するブロワーを排泄物処理器に適用した例を示したが、これ以外の掃除機等の装置に適用することもできる。
【図面の簡単な説明】
【００２２】
【図１】実施例におけるブロワーを吸入口側から見た外観を示す図である。
【図２】図１におけるＡ−Ａ部断面を示す図である。
【図３】図２におけるＢ−Ｂ部断面を示す図である。
【図４】回転ファンの側面図を示す図である。
【図５】従来のブロワーを示す図である。
【符号の説明】
【００２３】
１      ブロワー
２      モータ
３      ケース
４      回転ファン
２１    回転軸
３１    上側ケース
３２    サイドケース
３３    下側ケース
３５    吸入口
３６、３６ａ、３６ｂ    吐出口
３７    ケース延長部
４１    基板部
４２    羽根部
４２ａ    羽根延長部
４３    上カバー
【図１】
2008286077.tif 000003
【図２】
2008286077.tif 000004
【図３】
2008286077.tif 000005
【図４】
2008286077.tif 000006
【図５】
2008286077.tif 000007